【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
染色に適した媒体に、次の式(Ｉ)：      Ｃｏｌ１-Ｚ-Ｃｏｌ２      (Ｉ)[上式中：  Ｃｏｌ１及びＣｏｌ２は、アゾ染料、メチン染料、アゾメチン染料、及びフェノチアジン染料、トリアリールメタン染料、キサンテン染料、フェナントリジン染料及びフタロシアニン染料からなる群から選択される異なる構造の染料であり、  Ｚは少なくとも一の窒素原子を含有し、少なくとも一のカチオン電荷を有する、直鎖状又は分枝状で、飽和、不飽和又は環状のＣ１-Ｃ２０炭化水素ベース基である]の少なくとも一の非対称ポリカチオン性直接染料を含有せしめてなる、毛髪等のヒトのケラチン繊維を染色するための染色用組成物。
【請求項２】
少なくとも二のカチオン電荷を有するＺが、次の式(ＩＩ)：      -Ｚ１-Ｚ２-Ｚ３-      (ＩＩ)[上式中、Ｚ１及びＺ３は互いに独立して、窒素、酸素、硫黄及びリンから選択される一又は複数のへテロ原子を担持する複素環式芳香族基を表し、  Ｚ２は、０〜１０、好ましくは２〜６の炭素原子を有する、直鎖状又は分枝状の炭化水素ベース基である]の構造を有する、式(Ｉ)の少なくとも一の非対称ポリカチオン性直接染料を含有する、請求項１に記載の組成物。
【請求項３】
複素環式芳香族基が、ピロール、イミダゾール、イソイミダゾール、ピラゾール及びピリジンからなる群から選択される、請求項１又は２に記載の組成物。
【請求項４】
Ｚが、次の式(ＩＩＩ)：【化１】
2004204237.tif 000001
[上式中：  ｎは１〜１０、好ましくは２〜５の整数を表し、  ｐは１〜１０、好ましくは２〜５の整数を表し、  Ｚ４は、カチオン性、好ましくは２〜１６の炭素原子、さらに好ましくは５〜１２の炭素原子を有するジカチオン性基を表し、この基は脂肪族、飽和又は不飽和の炭素環又は多環炭素環、芳香族又は多環芳香族、複素環式芳香族又は多環複素環式芳香族であり、ヒドロキシル、カルボキシル、Ｃ１-Ｃ４アルコキシカルボニル、ヒドロゲノカルボニル、Ｃ１-Ｃ４アルコキシ、Ｃ２-Ｃ４アシル、アミノ、モノ-又はジアルキルアミノ、モノ-又はジ(Ｃ１-Ｃ４ヒドロキシアルキル)アミノ、シアノ、ニトロ、又はスルホナトから選択される１〜５の置換基で置換されるか未置換のものである]の構造を有する、式(Ｉ)の少なくとも一の非対称ポリカチオン性直接染料を含有する、請求項１に記載の組成物。
【請求項５】
Ｚが、次の式(ＩＶ)：【化２】
2004204237.tif 000002
[上式中：  ｎは１〜１０、好ましくは２〜５の整数を表し、  ｍは１〜１５、好ましくは２〜１０の整数を表し、  ｐは１〜１０、好ましくは２〜５の整数を表し、  Ｒ１、Ｒ２、Ｒ３及びＲ４は互いに独立して、Ｃ１-Ｃ６アルキル基を示す]の脂肪族基である、式(Ｉ)の少なくとも一の非対称ポリカチオン性直接染料を含有することを特徴とする、請求項１に記載の組成物。
【請求項６】
式(Ｉ)の非対称ポリカチオン性直接染料が；[２-[ｐ-[[２-クロロ-４-(メチルスルホニル)フェニル]アゾ]-Ｎ-エチルアニリノ]エチル][２-[Ｎ-エチル-ｐ-[(５-ニトロ-２-チアゾリル)アゾ]アニリノ]エチル]ジメチル-ｐ-トルエンスルホン酸アンモニウム(２-{[４-(２-クロロ-４-ニトロフェニルアゾ)-２-メトキシ-５-メチルフェニル]メチルアミノ}エチル)(２-{[４-(２-クロロ-４-ニトロ-フェニルアゾ)フェニル]エチルアミノ}エチル)ジメチルアンモニウムキノリニウム-１-[３-[[３-[ジメチル-[３-[２-[(３-メチルベンゾチアゾリウム-２-イル)メチレン]-３(２Ｈ)-ベンゾチアゾリル]プロピル]アンモニオ]プロピル]ジメチルアンモニオ]プロピル]-４-[(３-メチル-２(３Ｈ)-ベンゾチアゾリリデン)メチル]テトラヨージドキノリニウム-１-[３-[[３-[ジメチル-[３-[４-(３-メチル-２(３Ｈ)-ベンゾチアゾリリデン)メチル]キノリニオ]プロピル]アンモニオ]プロピル]ジメチルアンモニオ]プロピル]-４-[５-(３-メチル-２(３Ｈ)-ベンゾチアゾリリデン)-１,３-ペンタジエニル]テトラヨージドキノリニウム-１-[３-[[３-[ジメチル-[３-[２-[５-(３-メチル-２(３Ｈ)-ベンゾチアゾリリデン)-１,３-ペンタジエニル]ベンゾチアゾリウム-３-イル]プロピル]アンモニオ]プロピル]ジメチルアンモニオ]プロピル]-４-[(３-メチル-２(３Ｈ)−ベンゾチアゾリリデン)メチル]テトラヨージドキノリニウム-１-[５-[ジメチル-[３-[ジメチル-[３-[４-[(３-メチル-２(３Ｈ)-ベンゾチアゾリリデン)メチル]キノリニオ]プロピル]アンモニオ]プロピル]アンモニオ]ペンチル]-４-[３-(３-メチル-２(３Ｈ)−ベンゾチアゾリリデン)-１-プロペニル]テトラヨージドキノリニウム-１-[３-[[３-[[４-[２-[５-(１,３-ジヒドロ-１,３,３-トリメチル-２Ｈ-インドール-２-イリデン)-１,３-ペンタジエニル]ベンゾチアゾリウム-３-イル]ブチル]ジメチルアンモニオ]プロピル]ジメチルアンモニオ]プロピル]-４-[(３-メチル-２(３Ｈ)-チアゾリリデン)メチル]テトラヨージドキノリニウム-１-[３-[[３-[[３-[２-[５-(１,３-ジヒドロ-１,３,３-トリメチル-２Ｈ-インドール-２-イリデン)-１,３-ペンタジエニル]ベンゾチアゾリウム-３-イル]プロピル]ジメチルアンモニオ]プロピル]ジメチルアンモニオ]プロピル]-４-[(３-メチル-２(３Ｈ)-チアゾリリデン)メチル]テトラヨージドキノリニウム-１-[３-[[３-[ジメチル-[３-[４-[(３-メチル-２(３Ｈ)-ベンゾチアゾリリルデン)メチル]キノリニオ]プロピル]アンモニオ]プロピル]ジメチルアンモニオ]プロピル]-４-[５-(３-メチル-２(３Ｈ)-ベンゾチアゾリリデン)-１,３-ペンタジエニル]テトラクロリドキノリニウム-１-[３-[[３-[ジメチル-[３-[２-[５-((３-メチル-２(３Ｈ)-ベンゾチアゾリリデン)-１,３-ペンタジエニル]ベンゾチアゾリウム-３-イル]プロピル]アンモニオ]プロピル]ジメチルアンモニオ]プロピル]-４-[(３-メチル-２(３Ｈ)−ベンゾチアゾリリデン)メチル]テトラクロリドキノリニウム-１-[４-[[３-[ジメチル-[３-[４-[(３-メチル-２(３Ｈ)-ベンゾチアゾリリデン)メチル]キノリニオ]プロピル]アンモニオ]プロピル]ジメチルアンモニオ]ブチル]-４-[３-(３-メチル-２(３Ｈ)−ベンゾチアゾリリデン)-１-プロペニル]テトラクロリドキノリニウム-１-[３-[[３-[[５-[２-[５-(１,３-ジヒドロ-１,３,３-トリメチル-２Ｈ-インドール-２-イリデン)-１,３-ペンタジエニル]ベンゾチアゾリウム-３-イル]ペンチル]ジメチルアンモニオ]プロピル]ジメチル��ンモニオ]プロピル]-４-[(３-メチル-２(３Ｈ)-ベンゾチアゾリリデン)メチル]テトラヨージドキノリニウム-１-[３-[[３-[[４-[２-[５-(１,３-ジヒドロ-１,３,３-トリメチル-２Ｈ-インドール-２-イリデン)-１,３-ペンタジエニル]ベンゾチアゾリウム-３-イル]ブチル]ジメチルアンモニオ]プロピル]ジメチルアンモニオ]プロピル]-４-[(３-メチル-２(３Ｈ)-ベンゾチアゾリリデン)メチル]テトラクロリドキノリニウム-１-[３-[[３-[[３-[２-[５-(１,３-ジヒドロ-１,３,３-トリメチル-２Ｈ-インドール-２-イリデン)-１,３-ペンタジエニル]ベンゾチアゾリウム-３-イル]プロピル]ジメチルアンモニオ]プロピル]ジメチルアンモニオ]プロピル]-４-[(３-メチル-２(３Ｈ)-ベンゾチアゾリリデン)メチル]テトラクロリドキノリニウム-１-[６-[[３-[ジメチル-[３-[４-[(３-メチル-２(３Ｈ)-ベンゾチアゾリリデン)メチル]キノリニオ]プロピル]アンモニオ]プロピル]ジメチルアンモニオ]ヘキシル]-４-[３-(３-メチル-２(３Ｈ)-ベンゾチアゾリリデン)-１-プロペニル]テトラクロリドキノリニウム-１-[５-[[３-[ジメチル-[３-[４-[(３-メチル-２(３Ｈ)-ベンゾチアゾリリデン)メチル]キノリニオ]プロピル]アンモニオ]プロピル]ジメチルアンモニオ]ペンチル]-４-[３-(３-メチル-２(３Ｈ)-ベンゾチアゾリリデン)-１-プロペニル]テトラクロリドナフト[１,２-ｄ]チアゾリウム-２,２'-[１,３-プロパンジイルビス[(ジメチルイミノ)-３,１-プロパンジイル-１(４Ｈ)-キノリニル-４-イリデンメチリジン]]ビス[１-メチル-テトラヨージドフェナントリジニウム-３,８-ジアミノ-５-[３-[[３-ジメチル-[３-[４-[(３-メチル-２(３Ｈ)-ベンゾチアゾリリデン)メチル]キノリニオ]プロピル]アンモニオ]プロピル]ジメチルアンモニオ]プロピル]-６-フェニル]テトラクロリドキノリニウム-１-[３-[ジメチル-[３-[ジメチル-[３-４-[(３-メチル-２(３Ｈ)-ベンゾチアゾリリデン)メチル]キノリニオ]プロピル]イミノ]プロピル]イミノ]プロピル]-４-[３-(３-メチル-２(３Ｈ)-ベンゾチアゾリリデン)-１-プロペニル]からなる群から選択されることを特徴とする、請求項１ないし５のいずれか１項に記載の組成物。
【請求項７】
中性、酸性又はカチオン性のニトロベンゼン直接染料、中性、酸性又はカチオン性のアゾ直接染料、中性、酸性又はカチオン性のキノン、特にアントラキノン直接染料、アジン直接染料、メチン直接染料、トリアリールメタン直接染料、インドアミン直接染料及び天然直接染料から選択される、式(Ｉ)のもの以外の少なくとも一の直接染料をさらに含有している、請求項１ないし６のいずれか１項に記載の組成物。
【請求項８】
酸化剤、好ましくは過酸化水素をさらに含有している、請求項１ないし７のいずれか１項に記載の組成物。
【請求項９】
酸化ベースをさらに含有している、請求項１ないし８のいずれか１項に記載の組成物。
【請求項１０】
少なくとも一のカップラーをさらに含有している、請求項９に記載の組成物。
【請求項１１】
ヒトのケラチン繊維、特に毛髪の直接染色方法において、請求項１ないし７のいずれか１項に記載の少なくとも一の染色用組成物を前記繊維に適用することを特徴とする方法。
【請求項１２】
ヒトのケラチン繊維、特に毛髪の酸化染色方法において、酸化剤の存在下で、少なくとも一の酸化ベースと場合によっては少なくとも一のカップラーを含有する、請求項１ないし７のいずれか１項に記載の少なくとも一の染色用組成物を前記繊維に適用することを特徴とする方法。
【請求項１３】
第１の区画部が、請求項１ないし７及び９又は１０のいずれか１項に記載の組成物を収容し、第２の区画部が酸化組成物を収容している、毛髪等のヒトのケラチン繊維を染色するための二区画染色具又はキット。
【請求項１４】
毛髪等のヒトのケラチン繊維を染色するための組成物における又はその調製のための、直接染料としての、請求項１ないし６のいずれか１項に記載の式(Ｉ)の直接非対称ポリカチオン性化合物の使用。